(57)【要約】【課題】利用者がウィンドウの位置を常に把握する必要がなく、利用者の使い勝手が向上する。【解決手段】複数のアプリケーションの個々に対応した複数の表示ウィンドウは、表示部７の一つの表示画面７ａに規則性を持って配置される複数の固定ウィンドウ表示枠９からなる。表示制御部６は、複数のアプリケーションが時系列に選択されたときに、複数のアプリケーションそれぞれに関しての表示を、表示部７の一つの表示画面７ａに規則性を持って配置される固定ウィンドウ表示枠９に対し、複数のアプリケーションが時系列に選択された順番に順次切り替え配置して表示制御する。【選択図】図１
2011129098.tif 000002
【特許請求の範囲】
【請求項１】
電気信号を測定するための複数のアプリケーションのそれぞれに対応した複数の表示ウィンドウと、前記複数の表示ウィンドウを一つの表示画面（７ａ）に表示するための複数の固定ウィンドウ表示枠（９）とを表示制御するウィンドウ表示制御方法であって、
前記複数のアプリケーションの１つを第１のアプリケーションとして選択するステップ（Ｓ１）と、
選択された前記第１のアプリケーションに対応する第１の表示ウィンドウを第１の固定ウィンドウ表示枠に表示するステップ（Ｓ２）と、
前記第１のアプリケーションとは異なる前記複数のアプリケーションの１つを第２のアプリケーションとして選択するステップ（Ｓ３）と、
前記第２のアプリケーションが選択されたときに、前記第１の固定ウィンドウ表示枠に表示されている前記第１の表示ウィンドウを第２の固定ウィンドウ表示枠に表示するステップ（Ｓ４）と、
前記第２のアプリケーションに対応する第２の表示ウィンドウを前記第１の固定ウィンドウ表示枠に表示するステップ（Ｓ５）とを含むことを特徴とするウィンドウ表示制御方法。
【請求項２】
前記アプリケーションを選択するための前記表示画面の表示に対し、選択された前記アプリケーションに対応する前記表示を識別表示するステップ（Ｓ６）を更に含むことを特徴とする請求項１記載のウィンドウ表示制御方法。
【請求項３】
電気信号を測定するための複数のアプリケーションのそれぞれに対応した複数の表示ウィンドウと、前記複数の表示ウィンドウを一つの表示画面（７ａ）に表示するための複数の固定ウィンドウ表示枠（９）とを含む表示部（７）と、
前記複数のアプリケーションのいずれかを選択するためのアプリケーション選択部（１０）と、
前記固定ウィンドウ表示枠のうち予め定められた位置の第１の固定ウィンドウ表示枠に前記表示ウィンドウが既に表示されている状態で前記アプリケーション選択部にて前記アプリケーションが選択されたとき、前記第１の固定ウィンドウ表示枠に既に表示されている前記表示ウィンドウを予め定められた位置の第２の固定ウィンドウ表示枠に表示するとともに、前記アプリケーション選択部にて選択された前記アプリケーションに対応した前記表示ウィンドウを前記第１の固定ウィンドウ表示枠に新たに表示するように制御する表示制御部（６）とを備えたことを特徴とするウィンドウ表示制御装置。
【請求項４】
前記表示制御部（６）は、前記アプリケーション選択部（１０）にて前記アプリケーションを選択するための前記表示画面の表示に対し、選択された前記アプリケーションに対応する前記表示を識別表示することを特徴とする請求項３記載のウィンドウ表示制御装置。
【発明の詳細な説明】
【技術分野】
【０００１】
本発明は、複数のアプリケーションの個々に対応する複数の表示ウィンドウを一つの表示画面に表示し、同時に複数の表示ウィンドウを見ながら所望の作業を行うのに適したウィンドウ表示制御装置及び方法に関する。
【背景技術】
【０００２】
近年のパーソナルコンピュータに関して言えば、ユーザーインターフェースによる改善が著しく、複数のアプリケーションの個々に対応する複数の表示ウィンドウを一つの表示画面に表示し、同時に複数の表示ウィンドウを見ながら所望の作業（データの表示や処理）を行うといった事が増えてきている。このような中、ユーザーインターフェースの一つとして、操作環境の改善や視覚的使いやすさといった課題があり、その解決方法として多くのウィンドウ表示制御方法が考えられている。
【０００３】
例えばウィンドウシステム形式での複数ウィンドウ表示制御方法としては、下記特許文献１に開示されるように、アクセスした後の時間経過を計数し、その多寡に応じて順位付けを行い、この順位付けされた複数の表示ウィンドウを、各々の順位情報を用いてその利用状況に応じて表示制御するといった手段が従来より考えられている。
【先行技術文献】
【特許文献】
【０００４】
【特許文献１】特開平６−６７８３４号公報
【発明の概要】
【発明が解決しようとする課題】
【０００５】
しかしながら、上述した特許文献１に開示される従来の複数ウィンドウ制御方法のように、アクセス回数を計数して順位付けを行い表示制御する事が、利用者にとって必要な表示ウィンドウである事に繋がるとは考えにくい。しかも、特許文献１では、利用者が直感的な操作をするため、利用者がその都度表示ウィンドウ位置の把握をしなければならないという煩わしさがあった。
【０００６】
また、複数の表示ウィンドウを表示する場合に順序や規則性を持って表示されないことにより、複雑性が損なわれることや、ウィンドウシステムにおいて表示ウィンドウ枠内を自由にレイアウト出来ることによって、表示ウィンドウの位置を常に把握する必要があることや、サイズを可変出来る事によりウィンドウ環境がより煩雑化する可能性がある。
【０００７】
そして、一つの表示画面に複数のアプリケーションを表示し、同時に複数のアプリケーションを見ながら作業を行う場合、ユーザーの使い勝手は様々であり、その中で多数の表示ウィンドウをいかに制御してユーザーの使い勝手向上を目指すかが鍵となる。
【０００８】
そこで、本発明は上記問題点に鑑みてなされたものであって、利用者が表示ウィンドウの位置を常に把握する必要がなく、利用者にとって使い勝手の良いウィンドウ表示制御装置及び方法を提供することを目的としている。
【課題を解決するための手段】
【０００９】
上記目的を達成するため、本発明の請求項１に記載されたウィンドウ表示制御方法は、電気信号を測定するための複数のアプリケーションのそれぞれに対応した複数の表示ウィンドウと、前記複数の表示ウィンドウを一つの表示画面７ａに表示するための複数の固定ウィンドウ表示枠９とを表示制御するウィンドウ表示制御方法であって、
前記複数のアプリケーションの１つを第１のアプリケーションとして選択するステップＳ１と、
選択された前記第１のアプリケーションに対応する第１の表示ウィンドウを第１の固定ウィンドウ表示枠に表示するステップＳ２と、
前記第１のアプリケーションとは異なる前記複数のアプリケーションの１つを第２のアプリケーションとして選択するステップＳ３と、
前記第２のアプリケーションが選択されたときに、前記第１の固定ウィンドウ表示枠に表示されている前記第１の表示ウィンドウを第２の固定ウィンドウ表示枠に表示するステップＳ４と、
前記第２のアプリケーションに対応する第２の表示ウィンドウを前記第１の固定ウィンドウ表示枠に表示するステップＳ５とを含むことを特徴とする。
【００１０】
請求項２に記載されたウィンドウ表示制御方法は、請求項１のウィンドウ表示制御方法において、
前記アプリケーションを選択するための前記表示画面の表示に対し、選択された前記アプリケーションに対応する前記表示を識別表示するステップＳ６を更に含むことを特徴とする。
【００１１】
請求項３に記載されたウィンドウ表示制御装置は、電気信号を測定するための複数のアプリケーションのそれぞれに対応した複数の表示ウィンドウと、前記複数の表示ウィンドウを一つの表示画面７ａに表示するための複数の固定ウィンドウ表示枠９とを含む表示部７と、
前記複数のアプリケーションのいずれかを選択するためのアプリケーション選択部１０と、
前記固定ウィンドウ表示枠のうち予め定められた位置の第１の固定ウィンドウ表示枠に前記表示ウィンドウが既に表示されている状態で前記アプリケーション選択部にて前記アプリケーションが選択されたとき、前記第１の固定ウィンドウ表示枠に既に表示されている前記表示ウィンドウを予め定められた位置の第２の固定ウィンドウ表示枠に表示するとともに、前記アプリケーション選択部にて選択された前記アプリケーションに対応した前記表示ウィンドウを前記第１の固定ウィンドウ表示枠に新たに表示するように制御する表示制御部６とを備えたことを特徴とする。
【００１２】
請求項４に記載されたウィンドウ表示制御装置は、請求項３のウィンドウ表示制御装置において、
前記表示制御部６は、前記アプリケーション選択部１０にて前記アプリケーションを選択するための前記表示画面の表示に対し、選択された前記アプリケーションに対応する前記表示を識別表示することを特徴とする。
【発明の効果】
【００１３】
本発明によれば、従来のような利用者が表示ウィンドウの位置を常に把握する必要もなく、利用者がそのときに所望するアプリケーションに関しての表示を固定ウィンドウ表示枠に表示することができるので、利用者の使い勝手を向上させることができる。
【００１４】
また、表示部に表示されている固定ウィンドウ表示枠に対応するアプリケーションを識別表示するので、利用者は固定ウィンドウ表示枠がどのアプリケーションに関しての表示か明示的に視認することができる。
【図面の簡単な説明】
【００１５】
【図１】本発明に係るウィンドウ表示制御装置のブロック構成図である。
【図２】本発明に係るウィンドウ表示制御装置における固定ウィンドウ表示枠の表示例を示す図である。
【図３】本発明に係るウィンドウ表示制御装置における固定ウィンドウ表示枠の具体的な表示例を示す図である。
【図４】（ａ），（ｂ），（ｃ）  本発明に係るウィンドウ表示制御装置における固定ウィンドウ表示枠の他の形態を示す図である。
【図５】本発明に係るウィンドウ表示制御装置のソフトウェア動作のフローチャートである。
【発明を実施するための形態】
【００１６】
以下、本発明を実施するための形態について図面を参照しながら具体的に説明する。図１は本発明に係るウィンドウ表示制御装置のブロック構成図、図２は同装置における固定ウィンドウ表示枠の表示例を示す図、図３は同装置における固定ウィンドウ表示枠の具体的な表示例を示す図、図４（ａ）〜（ｃ）は同装置における固定ウィンドウ表示枠の他の形態を示す図、図５は本発明に係るウィンドウ表示制御装置のソフトウェア動作のフローチャートである。
【００１７】
本発明に係るウィンドウ表示制御装置は、利用者が所望するアプリケーションを実行して各種測定（例えば誤り率測定、信号測定など）を行う測定器に組み込まれるものであり、利用者が所望する複数のアプリケーションを起動させたときに、この複数のアプリケーションの個々に対応する複数の表示ウィンドウを一つの表示画面に表示し、同時に複数の表示ウィンドウを見ながら所望の作業（データの表示や処理）を行うのに適している。
【００１８】
図１に示すように、本例のウィンドウ表示制御装置１は、入力部２、入力制御部３、表示ウィンドウ管理部４、アプリケーションモジュール５、表示制御部６、表示部７、アプリケーション制御部１０によって構築される。
【００１９】
入力部２は、アプリケーションを起動して各種作業を行う際に必要な情報入力を行うもので、利用者が操作する入力装置で構成される。具体的に、この入力部２は、例えばマウス等のポインティングデバイス、表示部７の表示画面７ａ上のソフトキーからなるタッチパネル等の入力装置によって構成される。
【００２０】
入力部２は、図２や図３に示すように、表示部７の表示画面７ａ上に設けられる複数のソフトキーからなるファンクションメニューボタン８を選択的に押下する際に操作される。この入力部２の操作により選択的に押下される複数のファンクションメニューボタン８は、アプリケーションモジュール５の個々のアプリケーションに関するトップメニューを表示しており、アプリケーションモジュール５の各アプリケーションとそれぞれ１対１に対応している。
選択的に押下されたファンクションメニューボタン８からの信号は、入力制御部３を介してアプリケーション選択部１０に対して複数のアプリケーションのいずれかが選択されたことを伝達する。アプリケーション選択部１０は、アプリケーションモジュール５に対して各アプリケーションのいずれかがファンクションメニューボタン８によって選択されたことを伝達する。
【００２１】
入力制御部３は、入力部２が操作されたときの情報（座標軸情報）に基づいて複数のファンクションメニューボタン８の何れが選択されて押下されたか（複数のアプリケーションの何れが選択されたか）を判別し、押下されたと判別したファンクションメニューボタンの情報を判別結果として表示ウィンドウ管理部４に出力している。
【００２２】
表示ウィンドウ管理部４は、入力制御部３からの判別結果に基づいて表示制御部６による表示部７の描画を統括管理している。また、表示ウィンドウ管理部４は、入力制御部３からの判別結果に該当するアプリケーションをアプリケーションモジュール５から呼び出して起動している。
【００２３】
表示ウィンドウ管理部４は、表示制御部６による表示部７の固定ウィンドウ表示枠９の描画を管理するべく情報判別部４ａを備えている。この情報判別部４ａは、入力制御部３から判別結果（押下されたファンクションメニューボタン８の情報）が入力されると、現在の構成情報（ファンクションメニューボタン８の押下順番、現在の固定ウィンドウ表示枠９の表示状態）を参照し、固定ウィンドウ表示枠９に対するアプリケーションに関しての表示情報を表示制御部６に出力している。
【００２４】
尚、現在の構成情報は、固定ウィンドウ表示枠９を表示部７に表示する毎に更新記憶している。
【００２５】
アプリケーションモジュール５は、各種測定を実行するためのソフトウェアやプログラムからなる複数のアプリケーションで構成される。この複数のアプリケーションは、例えば所望のパルスパターン信号を発生して被測定物に送信し、この送信に伴って被測定物から戻って来る信号を受信して誤り率を測定するソフトウェアやプログラム、被測定物に対する送信信号や被測定物からの受信信号を測定して波形表示するソフトウェアやプログラム等からなる。
【００２６】
尚、アプリケーションモジュール５を構成する各アプリケーションは、それぞれ単独で動作することができ、固定ウィンドウ表示枠９にアプリケーションに関しての表示がなされていない状態でも動作することが可能である。
【００２７】
表示制御部６は、表示ウィンドウ管理部４の管理により、表示部７の描画（ファンクションメニューボタン８を含む全体表示画面の描画、固定ウィンドウ表示枠９の描画）を制御している。
【００２８】
表示制御部６は、入力部２の操作によってアプリケーションが時系列に選択されると、アプリケーションそれぞれに関しての表示を、表示部７の一つの表示画面７ａの予め決められた領域に規則性を持って表示される固定ウィンドウ表示枠９に対し、アプリケーションが時系列に選択された順番に順次切り替え表示して表示制御している。
【００２９】
さらに説明すると、本例における表示制御部６は、現時点で最後に押下されたファンクションメニューボタン８に対応するアプリケーションに関しての表示と、その一つ前に押下されたファンションメニューボタン８に対応するアプリケーションに関しての表示とを、表示部７の表示画面７ａ上に規則性を持って２つの固定ウィンドウ表示枠９に表示するように表示制御している。具体的に、図２において、２つの固定ウィンドウ表示枠９のうちＸ領域の固定ウィンドウ表示枠９Ａが既に表示されている場合には、入力部２の操作によりファンクションメニューボタン８が押下されると、既に表示されているＸ領域の固定ウィンドウ表示枠９ＡをＹ領域の固定ウィンドウ表示枠９Ｂに移動して表示し、ファンクションメニューボタン８が押下されたアプリケーションに関しての表示をＸ領域の固定ウィンドウ表示枠９Ａに新たに表示する。
さらに、ソフトウェア動作を図５を用いて説明する。
入力部２の操作によりファンクションメニューボタン８が押下されると（Ｓ１）、選択された第１のアプリケーションに対応する第１の表示ウィンドウを第１の固定ウィンドウ表示枠に表示し（Ｓ２）、第１のアプリケーションとは異なるアプリケーションの１つを第２のアプリケーションとして選択し（Ｓ３）、第２のアプリケーションが選択されたときに、第１の固定ウィンドウ表示枠に表示されている第１の表示ウィンドウを第２の固定ウィンドウ表示枠に表示し（Ｓ４）、第２のアプリケーションに対応する第２の表示ウィンドウを第１の固定ウィンドウ表示枠に表示する（Ｓ５）。
さらに次のアプリケーションの選択がされる場合には、Ｓ３からＳ５の動作を繰り返す。
【００３０】
表示制御部６は、表示部７の表示画面７ａに表示されている固定ウィンドウ表示枠９に対応するアプリケーションを識別表示している。さらに説明すると、表示制御部６は、情報判別部４ａからの表示情報により、表示部７に表示される固定ウィンドウ表示枠９がどのアプリケーションに関しての表示かを利用者に認識させるため、そのアプリケーションに対応するファンクションメニューボタン８を例えば点灯・点滅や色分けにより識別表示している。例えば、図２に示すように、２つの固定ウィンドウ表示枠９Ａ，９Ｂが表示されている場合は、現時点で最後に押下されたファンションメニューボタン８を点灯し、その前に押下されたファンクションメニューボタン８を点滅する。
さらに、ソフトウェア動作を図５を用いて説明する。
固定ウィンドウ表示枠に対応するアプリケーションを識別表示するステップＳ６は、第１のアプリケーション選択ステップＳ１と、第２のアプリケーション選択ステップＳ３により、固定ウィンドウ表示枠９がどのアプリケーションに関しての表示かを利用者に認識させるため、そのアプリケーションに対応するファンクションメニューボタン８を例えば点灯・点滅や色分けにより識別表示している。
【００３１】
表示部７は、例えば液晶表示器で構成され、表示制御部６の制御により、各アプリケーションに対応したファンクションメニューボタン８を表示画面７ａ上に表示（図２や図３の右端）するとともに、入力部２の操作に応じた固定ウィンドウ表示枠９を一つの表示画面７ａ上に表示して表示している。
【００３２】
次に、上記構成によるウィンドウ表示制御装置１による表示方法について説明する。ここでは、図２に示すように、表示部７に表示される固定ウィンドウ表示枠９を最大２つとし、Ｘ領域の固定ウィンドウ表示枠９Ａが表示部７に既に表示されている場合を例にとって説明する。
【００３３】
入力制御部３は、所望とするアプリケーションを実行するべく利用者が入力部２を操作すると、この入力部２を操作したときの情報（座標軸情報）に基づいて複数のファンクションメニューボタン８の何れが押下されたか（複数のアプリケーションの何れが選択されたか）を判別し、押下されたと判別したファンクションメニューボタン８の情報を判別結果として表示ウィンドウ管理部４に出力する。
【００３４】
表示ウィンドウ管理部４は、入力制御部３からの判別結果に該当するアプリケーションをアプリケーションモジュール５から読み出して起動する。同時に、表示ウィンドウ管理部４の情報判別部４ａは、入力制御部３から判別結果（押下されたファンクションメニューボタン８の情報）が入力されると、現在の構成情報（ファンクションメニューボタン８の押下順番、現在の固定ウィンドウ表示枠９の表示状態）を参照し、固定ウィンドウ表示枠９に表示するアプリケーションに関しての表示情報を表示制御部６に出力する。
【００３５】
そして、表示制御部６は、情報判別部４ａからの表示情報により、現時点でファンションメニューボタン８が最後に押下される前の古いアプリケーションに関しての表示をＸ領域の固定ウィンドウ表示枠９ＡからＹ領域の固定ウィンドウ表示枠９Ｂに移動して表示し、現時点で最後に押下されたファンクションメニューボタン８に対応するアプリケーションに関しての表示をＸ領域の固定ウィンドウ表示枠９Ａに表示する。同時に、表示制御部６は、表示部７に表示される固定ウィンドウ表示枠９Ａ，９Ｂの各アプリケーションに対応するファンクションメニューボタン８を例えば点灯・点滅や色分けにより識別表示する。
【００３６】
上述した動作は、利用者が入力部２を操作する度に繰り返される。そして、Ｘ領域の固定ウィンドウ表示枠９Ａには、現時点で最後に押下されたファンクションメニューボタン８に対応するアプリケーションに関しての表示が表示され、Ｙ領域の固定ウィンドウ表示枠９Ｂには、その前に押下されたファンクションメニューボタン８に対応するアプリケーションに関しての表示がＸ領域の固定ウィンドウ表示枠９Ａから移動して表示される。
【００３７】
さらに、図３はウィンドウ表示制御装置１における固定ウィンドウ表示枠９の具体的な表示例を示している。図２では「ＰＰＧ／ＥＤ  ｃｈ１」、「ＰＰＧ／ＥＤ  ｃｈ２」、「ＸＦＰ」、「Ｏ／Ｅ」、「Ｗａｖｅ  Ｆｏｒｍ」の５つのファンクションメニューボタン８（８ａ，８ｂ，８ｃ，８ｄ，８ｅ）が表示部７の表示画面７ａに設けられている。
【００３８】
この状態で、利用者が「ＰＰＧ／ＥＤ  ｃｈ１」のファンクションメニューボタン８ａを押下した後に「Ｗａｖｅ  Ｆｏｒｍ」のファンクションメニューボタン８ｅを押下すると、表示部７の一つの表示画面７ａにおいて、最後に押下された「Ｗａｖｅ  Ｆｏｒｍ」のアプリケーションに関しての表示が右側の固定ウィンドウ表示枠９Ａに表示され、その前に押下された「ＰＰＧ／ＥＤ  ｃｈ１」のアプリケーションに関しての表示が左側の固定ウィンドウ表示枠９Ｂに表示される。そして、固定ウィンドウ表示枠９Ａに対応する「ＰＰＧ／ＥＤ  ｃｈ１」のファンクションメニューボタン８ａと、固定ウィンドウ表示枠９Ｂに対応する「Ｗａｖｅ  Ｆｏｒｍ」のファンクションメニューボタン８ｅとがそれぞれ例えば緑色に点灯する。
【００３９】
このように、本発明では、各アプリケーションに関しての表示を予め固定化された複数の固定ウィンドウ表示枠９に表示するためのファンクションメニューボタン８が表示部７の表示画面７ａに設けられ、入力部２の操作により所望のアプリケーションに対応するファンクションメニューボタン８が押下されると、現在の構成情報（ファンクションメニューボタンの押下順番、現在の固定ウィンドウ表示枠の状態）を参照する。そして、固定ウィンドウ表示枠９が図２に示す如く２つの場合には、押下されたファンクションメニューボタン８の情報と現在の構成情報に基づき、現時点で最後に押下されたファンクションメニューボタン８に対応するアプリケーションに関しての表示をＸ領域の固定ウィンドウ表示枠９Ａに表示し、その前に押下されたファンションメニューボタン８に対応するアプリケーションに関しての表示をＹ領域の固定ウィンドウ表示枠９Ｂに表示している。
【００４０】
すなわち、本発明では、入力部２を操作してファンクションメニューボタン８を時系列に押下した順番にアプリケーションに関しての表示を固定ウィンドウ表示枠９に対して規則的に表示し、利用者の直感的かつ容易な操作方法を実現している。
【００４１】
これにより、予め固定化された複数の固定ウィンドウ表示枠９に対し、現時点で最後に押下されたファンクションメニューボタン８から遡って対応するアプリケーションに関しての表示を規則的に表示することができる。これにより、利用者が表示ウィンドウの位置を把握する手間を軽減することができる。そして、敢えて表示ウィンドウの自由度を無くすことにより、利用者が固定ウィンドウ表示枠９による固定枠の中で規則性・順序を持ってレイアウト・操作することができる。
【００４２】
また、必要なアプリケーションに関しての表示は、利用者が入力部２を操作することで必要な時に固定ウィンドウ表示枠９に表示することができる。その際、固定ウィンドウ表示枠９に表示されているアプリケーションに関しての表示が明示的に判るように、表示部７に表示された固定ウィンドウ表示枠９に対応するアプリケーションのファンクションメニューボタン８を識別表示するので、利用者の視認性の向上を図ることができる。
【００４３】
ところで、上述した実施の形態では、予め固定化された固定ウィンドウ表示枠９が一つ表示画面７ａに最大２つ表示される場合を例にとって説明した。しかし、固定ウィンドウ表示枠９は、一つの表示画面７ａに規則性を持って表示されれば良く、２つに限定されるものではない。例えば図４（ａ）〜（ｃ）に示すような固定ウィンドウ表示枠９を表示部７の一つの表示画面７ａに表示させることも可能である。
【００４４】
図４（ａ）は表示部７の表示画面７ａに横並びに３つの固定ウィンドウ表示枠９Ａ，９Ｂ，９Ｃを表示した例である。この表示例では、最後に押下されたファンクションメニューボタン８に対応するアプリケーションに関しての表示が右の固定ウィンドウ表示枠９Ａに表示され、その前に押下されたファンクションメニューボタン８に対応するアプリケーションに関しての表示が中央の固定ウィンドウ表示枠９Ｂに表示され、さらにその前に押下されたファンクションメニューボタン８に対応するアプリケーションに関しての表示が左の固定ウィンドウ表示枠９Ｃに表示される。
【００４５】
図４（ｂ）は表示部７の表示画面７ａに縦並びに３つの固定ウィンドウ表示枠９Ａ，９Ｂ，９Ｃを表示した例である。この表示例では、最後に押下されたファンクションメニューボタン８に対応するアプリケーションに関しての表示が上の固定ウィンドウ表示枠９Ａに表示され、その前に押下されたファンクションメニューボタン８に対応するアプリケーションに関しての表示が中央の固定ウィンドウ表示枠９Ｂに表示され、さらにその前に押下されたファンクションメニューボタン８に対応するアプリケーションに関しての表示が下の固定ウィンドウ表示枠９Ｃに表示される。
【００４６】
図４（ｃ）は表示部７に４つの固定ウィンドウ表示枠９Ａ，９Ｂ，９Ｃ，４Ｄを表示した例である。この表示例では、最後に押下されたファンクションメニューボタン８に対応するアプリケーションに関しての表示が右上の固定ウィンドウ表示枠９Ａに表示され、その前に押下されたファンクションメニューボタン８に対応するアプリケーションに関しての表示が左上の固定ウィンドウ表示枠９Ｂに表示され、さらにその前に押下されたファンクションメニューボタン８に対応するアプリケーションに関しての表示が左下の固定ウィンドウ表示枠９Ｃに表示され、さらにその前に押下されたファンクションメニューボタン８に対応するアプリケーションに関しての表示が右下の固定ウィンドウ表示枠９Ｄに表示される。
【００４７】
また、表示部７に表示されている固定ウィンドウ表示枠９がどのアプリケーションに関しての表示かを利用者に認識させるため、その固定ウィンドウ表示枠９のアプリケーションに対応するファンクションメニューボタン８を例えば点灯・点滅や色分けにより識別表示する構成としたが、他の構成により固定ウィンドウ表示枠９のアプリケーションを識別表示させることもできる。例えば、表示部７に表示されている固定ウィンドウ表示枠９のタイトルバー部分を色分けにより識別表示する。
【００４８】
さらに、アプリケーションモジュール５のアプリケーションが増え、ファンクションメニューボタン８が表示部７の表示領域に表示しきれない時は、ファンクションメニューボタン８を複数頁に分けることもできる。この場合、表示部７の表示画面７ａ上に頁切替用のソフトキーを設け、この頁切替用のソフトキーを使用してファンクションメニューボタン８の頁を任意に切替表示する。
【符号の説明】
【００４９】
１  ウィンドウ表示制御装置
２  入力部
３  入力制御部
４  表示ウィンドウ管理部
４ａ  情報判別部
５  アプリケーションモジュール
６  表示制御部
７  表示部
７ａ  表示画面
８（８ａ〜８ｅ）  ファンクションメニューボタン
９  固定ウィンドウ表示枠
１０  アプリケーション選択部
【図１】
2011129098.tif 000003
【図２】
2011129098.tif 000004
【図３】
2011129098.tif 000005
【図４】
2011129098.tif 000006
【図５】
2011129098.tif 000007